(57)【要約】【課題】住宅の改築時、改修時などに、新築時には乾燥して丈夫であった土台や柱、筋交いなどの主要構造材、あるいは床板や根太あるいは胴縁などの補助構造材が経年変化によって腐朽してしまうことを可及的に防止することのできる木造建築物における床下改修システムを提供すること。【解決手段】土台６上に並べられた既設の床板１４を剥がす床板剥がし工程と、床板剥がし工程で露出した床下空間Ｓ内の既存布基礎４のガラリ１６を撤去または遮蔽するガラリ撤去工程と、布基礎４の内面に発泡樹脂パネル２４を配設する断熱パネル設置工程と、断熱パネル設置工程で布基礎４の内側が断熱された前記床下空間内に蓄熱体３０を設置する蓄熱体設置工程と、床下空間Ｓに外気を供給するための新たな空気通路を形成する空気通路設置工程と、を備えたことを特徴とする。【選択図】図１
2015140611.tif 000002
【特許請求の範囲】
【請求項１】
土台上に並べられた既設の床板を剥がす床板剥がし工程と、
前記床板剥がし工程で露出した床下空間内の既存布基礎のガラリを撤去または遮蔽するガラリ撤去工程と、
前記布基礎の内面に発泡樹脂パネルを配設する断熱パネル設置工程と、
前記断熱パネル設置工程で布基礎の内側が断熱された前記床下空間内に蓄熱体を設置する蓄熱体設置工程と、
前記床下空間に外気を供給するための新たな空気通路を形成する空気通路設置工程と、を備えたことを特徴とする在来軸組構法における木造建築物における床下改修システム。
【請求項２】
前記蓄熱体がコンクリートであることを特徴とする請求項１に記載の木造建築物における床下改修システム。
【発明の詳細な説明】
【技術分野】
【０００１】
本発明は、木造建築物における床下改修システムに関し、詳しくは、既設の木造建築物における構造材あるいは補助構造材が隠蔽される床下、壁内、天井という躯体の隙間に、乾燥した空気を送り込むことにより木材そのものが所持している丈夫さを積極的に蘇生させることを可能とする木造建築物における床下改修システムに関する。
【背景技術】
【０００２】
図２は、従来の木造建築物の床周りの一般的な構造を示したものである。
この木造建築物２では、コンクリートからなる布基礎４の上部に土台６を配置し、この土台６に柱８、隅柱１０などが立設されている。また、土台６，６で囲まれる床下形成域には、多数の根太１２が配設され、これらの根太１２の上に多数の床板１４が支持されている。また、柱８と隅柱１０などを結ぶ垂直な壁面には、これら柱８，隅柱１０の室内側に図示しない内装材が、柱８、隅柱１０の外側に図示しない外装材が、それぞれ配設される。さらに、室内に断熱性を付与させるために、柱８，１０と、図示しない内装材と外装材との間に、すなわち、壁体空間内にグラスウールなどの繊維状の断熱材を充填したり、あるいは柱の外側に板状の断熱材を立設したりしている。また、布基礎４にはガラリ１６が設置されており、このガラリ１６により床下空間Ｓの通風性が確保されている。
【０００３】
ところで、このような木造建築物２では、新築時には乾燥して丈夫であった主要構造材であっても、経年変化によって腐朽してしまうという問題がある。このような問題の多くは、湿気が原因とされている。すなわち、土台６、柱８，１０、図示しない筋交いなどを始めとして、根太１２、床板１４、胴縁などの木材は、充分に乾燥していれば所望の強度を確保することができるものの壁体内結露や漏水などが生じると、その湿気は容易には抜けるものではなく、次第に強度を落としてしまう。
【０００４】
ここで、例えば、在来工法による既存住宅の場合、建築年数の経った柱・土台などの構造材は根腐れする程に、壁体内結露あるいは雨水などの浸水で「含水率」が増大している。測定すれば、含水率が２０％を遥かに超える場合も生じている。
【０００５】
また、近年では、木造建築物の改築時などに改築部分の高断熱化、高気密化を図ることが盛んに行われているが、その場合に、熱環境の設計が充分に行われないまま施工されてしまうと、風の流れのない壁体空間あるいは床下空間に湿気が逃げてしまう。すると、結果として木造建築物２が部分的に湿気を帯びてしまい、場合によってはシロアリの温床ともなって、腐朽化が促進されてしまうという問題があった。
【０００６】
さらに、近年では、リフォーム工事や耐震補強工事を施工した住宅であっても、構造用合板や金物を用いてリフォームや耐震補強を行うものの、軸組材料の含水率を低下させないまま工事を行っているため、軸組み部材の含水率は工事前と何ら変わっていない場合が多いのが現状である。
【発明の概要】
【発明が解決しようとする課題】
【０００７】
本発明は、このような実情に鑑み、木造建築物の改築時、改修時などに、新築時には乾燥して丈夫であった土台や柱、筋交いなどの主要構造材、あるいは床板や根太あるいは胴縁などの補助構造材が経年変化によって腐朽してしまうことを可及的に防止することのできる木造建築物における床下改修システムを提供することを目的としている。
【課題を解決するための手段】
【０００８】
上記目的を達成するための本発明に係る木造建築物における床下改修システムでは、
土台上に並べられた既設の床板を剥がす床板剥がし工程と、
前記床板剥がし工程で露出した床下空間内の既存布基礎のガラリを撤去または遮蔽するガラリ撤去工程と、
前記布基礎の内面に発泡樹脂パネルを配設する断熱パネル設置工程と、
前記断熱パネル設置工程で布基礎の内側が断熱された前記床下空間内に蓄熱体を設置する蓄熱体設置工程と、
前記床下空間に外気を供給するための新たな空気通路を形成する空気通路設置工程と、を備えたことを特徴としている。
【０００９】
このような構成であれば、床下の改修を行う場合に、床下から壁体内に、例えば暖かい空気の流れを発現させることができる。
また、本発明に係る木造建築物における床下改修システムでは、
前記蓄熱体がコンクリートであることが好ましい。
【００１０】
このような構成の床下改修システムによれば、床下空間内に安価に蓄熱体を構築することができる。
【発明の効果】
【００１１】
本発明に係る木造建築物における床下改修システムによれば、床下空間に設置した蓄熱体により、例えば、床下空間から壁体空間内に、乾燥した暖かい空気あるいは冷たい空気を継続的に供給することができるので、壁体内結露などを防止することができる。また、居室空間内を積極的に対流させることにより、快適な居住空間を実現できる。
【００１２】
本発明に係る床下改修システムは、リフォーム工事時、あるいは耐震工事時などに好ましく行うことができ、これにより、軸組み部材の本質的な強度を蘇生させることができる。
【図面の簡単な説明】
【００１３】
【図１】図１は本発明の一実施例に係る床下改修システムを実施した木造建築物の概略断面図である。
【図２】図２は従来の木造建築物における床下部の構造を示す斜視図である。
【発明を実施するための形態】
【００１４】
以下、図面を参照しながら、本発明の一実施例に係る木造建築物における床下改修システムについて説明する。なお、この床下改修システムは、例えば、図２に示したような既設の木造建築物を部分的に改修する場合に、あるいは増築する場合、あるいは耐震工事を行う場合などに行うことができる。
【００１５】
図１は、在来の軸組工法による木造建築物に、本発明に係る床下改修システムを適用した例を示したもので、図２と同一要素は同一の符号を付して説明する。
本発明が適用される木造建築物２０では、１階１Ｆと２階２Ｆ、さらには屋根裏にも断熱材２２が敷設されることにより、建物全体が包括的に断熱されている。なお、このような断熱材料および断熱工法として従来、種々提案されているが、この実施例では、グラスウールからなる繊維状の断熱材が壁体内、あるいは屋根裏などに敷設されたものとする。
【００１６】
今、このような木造建築物２０において、１階の床板などの改修が必要であるとする。その場合に、先ず、図２に示した既設の床板１４が剥がされる。床板１４を剥がすことにより、既設のガラリ１６が露出する。次いで、このガラリ１６を撤去もしくは遮蔽する。なお、このガラリ１６の撤去もしくは遮蔽は、床板１４を剥がした後、直ちに行わなくても良い。実施の時期は何ら限定されない。
【００１７】
一方、ガラリ１６の撤去または遮蔽に前後して、床下空間Ｓ内に白蟻の侵入を防ぐ目的で、布基礎４の内方にホウ酸を含有させた砂２６を敷き詰めることが好ましい。このようにホウ酸を含有した砂２６は捨てコンクリート２８を新たに打設することにより、所定の範囲内に閉じ込めることができる。また、捨てコンクリート２８を打設する工程に前後して、布基礎４の内側に発泡樹脂パネル２４を配置することが好ましい。この発泡樹脂パネル２４は、布基礎４に接着剤などを介して一時的に仮接着しても良く、あるいは土台６などに支持させて取り付けても良い。
【００１８】
このように、布基礎４の立ち上がり部内面側に発泡樹脂パネル２４を配設した後、本実施例では、床下空間Ｓ内にコンクリート製の蓄熱体３０を設置する。蓄熱体３０は床下空間Ｓの広い範囲に設置することが好ましい。例えば、新たにコンクリートを打設することにより蓄熱体３０を構成すれば、蓄熱体３０を安価に形成することができる。また、既設のコンクリートブロックを蓄熱体３０の型枠として用いることもでき、コンクリートブロックの中にコンクリートを打設して蓄熱体３０を構築することもできる。あるいは、コンクリートに代え樹脂材料からなる蓄熱体を設置しても良く、蓄熱体３０の素材は、何ら限定されるものではない。
【００１９】
打設コンクリートからなる蓄熱体３０を設置する工程は、捨てコンクリート２８を打設する工程と同じであっても良く、あるいは別工程であっても良い。
このような蓄熱体３０は、深夜電力とヒートポンプなどにより、深夜のうちに熱を蓄えて使用することが好ましい。また、電力の代わりに家庭用ガスコージェネレーションシステムに温水ボイラなどを用いて温めても良い。
【００２０】
一方、蓄熱体３０に、夏場にはヒートポンプで作った冷水により冷熱を蓄えておき、小屋裏にファンを設け、このファンによって冷たい空気を引き上げて室内に開放すれば、室内を冷やしながら木材を乾燥することもできる。
【００２１】
また、本実施例では、壁体空間内に、外部の新鮮な空気を導入するための新たな空気通路３２が設けられている。この空気通路３２は、建築物２０の周囲全面に設けることが好ましいが、改築の度合いに応じてあるいは立地条件に応じて施工場所を選択することもできる。
【００２２】
図示した空気通路３２は、例えば、１階の押し入れ３４などから床下空間Ｓ内に連通している。この空気通路３２は、選択的に遮断できるように、シャッター機能を有する換気口などで構成することが好ましい。
【００２３】
さらに、本実施例の木造建築物２０の改築に際しては、ホルムアルデヒドなどの化学物質を除去するために、２４時間換気の開口部を設けることが好ましい。すなわち、築年度の古い住宅では、このような２４時間換気が行われていないため、１階の居室あるいは２階の居室のそれぞれに、外部に連通する開口部３６、３８を設けることが好ましい。
【００２４】
また、これら１階と２階の居室には、給気用としてそれぞれ壁体に開口部４０，４２を設け、これらの開口部４０，４２を介して壁体内の湿った空気を居室内に放出させることが好ましい。
【００２５】
本実施例の木造建築物における床下改修システムは、概略上記のような工程を経て施工される。
すなわち、既設の床板１４を剥がす床板剥がし工程と、床板剥がし工程で露出した床下空間内のガラリ１６を撤去または遮蔽するガラリ撤去工程と、布基礎４の内面に発泡樹脂パネル２４を配設する断熱パネル設置工程と、布基礎１４の内側が断熱された床下空間Ｓ内に蓄熱体３０を設置する蓄熱体設置工程と、床下空間Ｓに外気を供給するための新たな空気通路３２を形成する空気通路設置工程とを備えている。
【００２６】
このような工程を経て、適宜な養生期間を確保した後、新たな床板１４が敷き並べられて、改修工事が完了する。
このような工程を経ることにより、既存住宅の床下に乾燥した空気を積極的に送り込むシステムが構築される。これにより、既存住宅において、長年含水率の増大により損なわれていた軸組み部材の本質的な構造強度を蘇生させることができる。
【００２７】
以下、寒冷地などにおいて蓄熱体３０を設置した場合の作用効果について説明する。
このような蓄熱体３０を含む改修工事が行われた既設の木造建築物２０では、深夜電力などにより蓄熱体３０を低コストで加温することができる。そして、日中、蓄熱体３０から加温された熱が床下空間Ｓ内に図１において、矢印で示したように発散されるとともに、シャッター機能を開とした空気通路３２を介して新鮮な空気が床下空間Ｓに導入される。これにより、蓄熱体３０から発散された、乾燥して暖かい空気が床下空間Ｓ内を拡散しながら土台６、柱８などの根元付近、さらには大引き１５、根太１４、新たに敷設した床板などに接触し、これらを乾燥させる。このように、暖かい空気の発散および新鮮な空気の導入は継続的に行われるので、寒冷地であっても木材内部などに含浸した水分を効果的に乾燥させることができる。
【００２８】
また、床下空間Ｓからの空気は、図１、図２に矢印Ｂで示したように、根太１２の隙間から壁体空間内に導入されるので、床下空間Ｓのみならず壁体空間内にも空気の流れを形成することができる。これにより、壁体内に存在する様々な木材、例えば、筋交い、胴縁、１階と２階との間の胴差などが吸収してしまった水分を効果的に乾燥させることができる。勿論、通気の流れにより結露の防止を図ることもできる。
【００２９】
なお、２階の床面、あるいは２階天井から小屋裏への接続部分における壁体空間に既設の空気通路が充分に確保されていない場合には、ここに空気通路を新たに設けることが好ましい。
【００３０】
このように床下空間あるいは壁体内に上方に延びる空気通路を確保し、ここに暖かい乾燥した空気を供給することにより、既設の木造建築物２の木造構造材あるいは補助構造材に含まれてしまった水分を、開口部３６，３８あるいは小屋裏に設けた図示しない開口部から外部に放出することができるので、木造物が本来備えている強度を積極的に塑性させることができる。
【００３１】
以上、本発明の一実施例に係る木造建築物における床下改修システムについて説明したが、本発明は上記実施例に何ら限定されない。
例えば、上記実施例では、床板を改修する場合を例にして、改修システムを施工する場合について説明したが、本発明はこれに限定されず、外壁改修工事あるいはシロアリ対策などを行うとき、さらには耐震工事、増築工事時などを行うときに同時に行っても良い。要は、既設の木造住宅を改修する必要が生じた場合にいつでも行うことができる。
【００３２】
また、上記実施例では、２階建ての布基礎４を有する建築物について説明したが、平屋さらにはベタ基礎、あるいは寒冷地仕様のフーチングのない基礎などの建築物にも適用可能である。
【００３３】
さらには太陽熱を利用して蓄熱体を温める場合や、蓄熱体３０に温熱と冷熱を選択的に蓄えて空調を整える空調システムにも適用可能である。
本発明によれば、高温で短時間の急激な乾燥ではなく、床下空間に新鮮な空気を取り入れて構造材などを乾燥させることができる。すなわち、居住者が生活しながら、さらには生活の温度環境を整えながら、いわゆる低温除湿乾燥で構造材などを緩やかに乾燥させることができる。したがって、仕上がり材の損傷も少なく、施工後、長期間に渡って構造材の強度を維持させることができる。
【符号の説明】
【００３４】
２            木造建築物
４            布基礎
６            土台
８            柱
１０          隅柱
１２          根太
１４          床板
１５          大引き
１６          ガラリ
２２          断熱材
２４          断熱パネル
２６          砂
３２          空気通路
３４          押し入れ
３６，３８    開口部
４０，４２    開口部
【図１】
2015140611.tif 000003
【図２】
2015140611.tif 000004